(57)【要約】
【課題】　自動輸送機の提供。
【解決手段】　本体、伝動モジュール、帯状材固定板及びハンドルで組成され、自動輸送機が運転時、帯状材上方の保護膜が本体前方に設けられたカバー表面のスロットを通過して伝動モジュールの巻き取りロールに巻き取られ、且つ保護膜の進行方向と本体のカバーの開放方向が相反し、動作時の蓋の保護膜の引張り力による開放が防止された。
【選択図】　　　　図１
0003100450.tif 000002
【実用新案登録請求の範囲】
【請求項１】
　本体、伝動モジュール、帯状材固定板及びハンドルで組成され、本体後方に帯状材固定板が接続され、且つ本体内に収容空間があり、並びに収容空間内に伝動モジュールが取り付けられた自動輸送機において、
　該本体の前方にカバーが枢設され、該カバーが枢設端と可動端を具え、該枢設端に軸部が延設され、該軸部に本体が接続され、枢設端から離れた一側に巻き取りロールが設置され、巻き取りロールが運転して保護膜を巻き取る方向がカバーの可動端と反対方向を形成することを特徴とする、自動輸送機。
【請求項２】
　請求項１記載の自動輸送機において、本体の一側に伝動輪が設置され、該伝動輪の外径が巻き取りロールに設けられた軸孔より大きいことを特徴とする、自動輸送機。
【請求項３】
　請求項１記載の自動輸送機において、カバーの表面にスロットと長孔が設けられたことを特徴とする、自動輸送機。
【請求項４】
　請求項１記載の自動輸送機において、帯状材固定板の表面に帯状材案内輪と帯状材押し板が設けられたことを特徴とする、自動輸送機。
【考案の詳細な説明】
【技術分野】
【０００１】
　本考案は一種の自動輸送機に係り、特に、自動輸送機に設けられたカバーの開放方向が保護膜進行方向と反対方向とされ、これにより自動輸送機の動作中の開放が防止された、自動輸送機に関する。
【背景技術】
【０００２】
　時代の進歩と産業の革新に伴う、現代の商工業の激烈な競争下で、伝統的な手作業方式は徐々に自動化機械に代わられ、市場の勝機は品質と生産速度及び価格にかかっており、ゆえに自動輸送機の発展は、産業界の将来の方向に関係する。現在、市販の自動輸送機の多くは輸送輪で帯状材を送出し、並びにカバーと輸送輪の間に帯状材を挟み、帯状材上方の保護膜を巻き取りロールに巻き取り、並びにカバーの切欠きを利用し、保護膜に反対方向の作用力を形成させて、帯状材より保護膜を剥離し、さらに吸い取り装置で帯状材上の部品を取り出して使用している。しかし、保護膜の進行方向とカバーの開放方向が同じであるため、カバーが未係合となったり弛み、運転時に保護膜の引張り力を受けてカバーが開放され、帯状材が損壊し、このため吸い取り装置が順調に帯状材上の装置を取り出せなくなり、生産ラインが中段し、損失を形成することがある。また、巻き取りロールが続けて巻き取る時、保護膜の巻き取り直径が大きくなっても回転速度が同じであるため、保護膜の引張り力が大きくなり、保護膜の切断を形成し、保護膜を順調に帯状材より剥離できなくなり、損失を形成する。
【考案の開示】
【考案が解決しようとする課題】
【０００３】
　本考案の主要な目的は、カバー開放の方向と保護膜の進行方向を反対方向とすることで、自動輸送機の動作中のカバーの開放を防止できるようにすることにある。
【０００４】
　本考案の次の目的は、摩擦力で巻き取りロールを駆動し、巻き取りロールに保護膜の引張り力が過大となった時に空転を形成させ、保護膜が引張り力過大により断裂しないようにすることにある。
【課題を解決するための手段】
【０００５】
　請求項１の考案は、本体、伝動モジュール、帯状材固定板及びハンドルで組成され、本体後方に帯状材固定板が接続され、且つ本体内に収容空間があり、並びに収容空間内に伝動モジュールが取り付けられた自動輸送機において、
　該本体の前方にカバーが枢設され、該カバーが枢設端と可動端を具え、該枢設端に軸部が延設され、該軸部に本体が接続され、枢設端から離れた一側に巻き取りロールが設置され、巻き取りロールが運転して保護膜を巻き取る方向がカバーの可動端と反対方向を形成することを特徴とする、自動輸送機としている。
　請求項２の考案は、請求項１記載の自動輸送機において、本体の一側に伝動輪が設置され、該伝動輪の外径が巻き取りロールに設けられた軸孔より大きいことを特徴とする、自動輸送機としている。
　請求項３の考案は、請求項１記載の自動輸送機において、カバーの表面にスロットと長孔が設けられたことを特徴とする、自動輸送機としている。
　請求項４の考案は、請求項１記載の自動輸送機において、帯状材固定板の表面に帯状材案内輪と帯状材押し板が設けられたことを特徴とする、自動輸送機としている。
【考案の効果】
【０００６】
　本考案は、本体、伝動モジュール、帯状材固定板及びハンドルで組成され、自動輸送機が運転時、帯状材上方の保護膜が本体前方に設けられたカバー表面のスロットを通過して伝動モジュールの巻き取りロールに巻き取られ、且つ保護膜の進行方向と本体のカバーの開放方向が相反し、動作時の蓋の保護膜の引張り力による開放が防止されている。
【考案を実施するための最良の形態】
【０００７】
　図１は本考案の斜視図、図２は本考案の分解斜視図である。本考案は、本体１、伝動モジュール２、帯状材固定板３及びハンドル４で組成されている。
【０００８】
　該本体１は左側封鎖板１１と右側封鎖板１２を具え、並びに左側封鎖板１１と右側封鎖板１２の間が連接手段１３で固定され、左側封鎖板１１と右側封鎖板１２の間に収容空間１５が形成され、並びに左側封鎖板１１に案内輪１１１及び伝動輪１１２が設置され、且つ右側封鎖板１２に磁性手段１２１が設置され、本体前方にカバー１４が接続され、且つ該カバー１４は枢設端１４３及び可動端１４４を具え、枢設端１４３に軸部１４３１が延設され、該軸部１４３１が左側封鎖板１１及び右側封鎖板１２の表面に接続され、且つ磁性手段１２１を利用しカバー１４の可動端１４４が本体１の上縁に吸着されている。
【０００９】
　該伝動モジュール２は本体１の収容空間１５内に置かれ、且つ伝動モジュール２は歯車箱２１を具え、該歯車箱２１の運転はコントロールボックス２５により操作制御され、且つ該コントロールボックス２５は帯状材固定板３に設けられている。且つ歯車箱２１内に伝動手段２４が設けられ、且つ該伝動手段２４は歯車箱２１の外部に露出し、並びに伝動手段２４の回転により輸送歯車２２と本体１の伝動輪１１２が駆動される。該伝動モジュール２に別に巻き取りロール２３が設けられ、且つ巻き取りロール２３は本体１の伝動輪１１２に挿入され、巻き取りロール２３の軸孔２３１の外径が伝動輪１１２の外径より小さく、これにより巻き取りロール２３が緊密に伝動輪１１２に組み合わされ、伝動輪１１２により巻き取りロール２３が駆動され回転する。
【００１０】
　該帯状材固定板３は本体１の後方に固定され、並びに帯状材固定板３に帯状材案内輪３１と帯状材押し板３２が設けられている。
【００１１】
　該ハンドル４は本体１の左側封鎖板１１及び帯状材固定板３の間に固定されている。
【００１２】
　図３、４、５は本考案の使用前の斜視図、使用時の斜視図及び続けて使用する時の斜視図である。図示されるように、本考案を使用する時は、まず本体１のカバー１４の可動端１４４を起こし、さらに帯状材フィードロール５を帯状材固定板３に接続し、且つ帯状材押し板３２で帯状材フィードロール５の外縁を圧迫し、並びに帯状材フィードロール５に巻かれた帯状材５１を引き出し、引き出した帯状材に帯状材固定板３の帯状材案内輪３１の下方及び本体１の収容空間１５を通過させ、並びに帯状材５１の固定孔５１１を伝動モジュール２の輸送歯車２２に係止し、帯状材５１上方の保護膜５１２にカバー１４表面に設けられたスロット１４１を通過させ、且つ本体１の案内輪１１１を経過させ伝動モジュール２の巻き取りロール２３に固定し、続いてカバー１４の可動端１４４を閉じ、並びに磁性手段１２１の磁性を利用してカバー１４を吸着させ、且つ伝動モジュール２の輸送歯車２２の外縁をカバー１４に設けた長孔１４２内に位置させる。使用者が伝動モジュール２のコントロールボックス２５を操作する時、輸送歯車２２と巻き取りロール２３が歯車箱２１内に設けられた伝動手段２４により駆動され、帯状材５１が伝動モジュール２の輸送歯車２２の回転方向に送出され、且つ保護膜５１２が巻き取りロール２３に巻き取られ、帯状材５１に収容された装置が吸着装置６により本体１のカバー１４に設けられたスロット１４１内より取り出される。
【００１３】
　ゆえに、本考案が解決する周知の問題のキーポイントは以下のとおりである。
　１．巻き取りロール２３の巻き取る保護膜５１２の進行方向と本体１のカバー１４の可動端１４４の開放方向が反対方向とされ、ゆえに本考案の動作時に、カバー１４が保護膜５１２の引張り力により開くことがない。
　２．巻き取りロール２３の軸孔２３１の外径が伝動輪１１２の外径よりやや小さく、これにより巻き取りロール２３が緊密に伝動輪１１２に組み合わされ、伝動輪１１２の駆動により巻き取りロール２３が回転し、巻き取りロール２３が続けて保護膜５１２を巻き取る時、その巻き取り外径が続けて大きくなると、回転数が同じ状況で、保護膜５１２の発生する引張り力が続けて大きくなるが、この時、引張り力が巻き取りロール２３と伝動輪１１２の緊密な組合せの摩擦力より大きくなると、巻き取りロール２３が空転を発生し、保護膜５１２の切断が防止される。
【００１４】
　総合すると、本考案の自動輸送機は使用時に確実にその機能と目的を達成し、実用性に優れた考案である。なお、本考案に基づきなしうる細部の修飾或いは改変は、いずれも本考案の請求範囲に属するものとする。
【図面の簡単な説明】
【００１５】
【図１】本考案の斜視図である。
【図２】本考案の分解斜視図である。
【図３】本考案の使用前の斜視図である。
【図４】本考案の使用時の斜視図である。
【図５】本考案の続けて使用する時の斜視図である。
【符号の説明】
【００１６】
１　本体
１１　左側封鎖板　　　　　　１４１　スロット
１１１　案内輪　　　　　　　１４２　長孔
１１２　伝動輪　　　　　　　１４３　枢設端
１２　右側封鎖板　　　　　　１４３１　軸部
１２１　磁性手段　　　　　　１４４　可動端
１３　連接手段　　　　　　　１５　収容空間
１４　カバー
２　伝動モジュール
２１　歯車箱　　　　　　　　２３１　軸孔
２２　輸送歯車　　　　　　　２４　伝動手段
２３　巻き取りロール　　　　２５　コントロールボックス
３　帯状材固定板
３１　帯状材案内輪　　　　　３２　帯状材押し板
４　ハンドル
５　帯状材フィードロール
５１　帯状材　　　　　　　　５１２　保護膜
５１１　固定孔
６　吸い取り装置
【図１】
0003100450.tif 000003
【図２】
0003100450.tif 000004
【図３】
0003100450.tif 000005
【図４】
0003100450.tif 000006
【図５】
0003100450.tif 000007